(57)【特許請求の範囲】
【請求項１】
表示ユニットの表示面を露呈させる表示用開口部と操作部材を露呈させる操作用開口部とを有する外装体と、
上記表示用開口部にて上記表示面を露呈するように配置された上記表示ユニットと、
上記外装体内において、上記操作用開口部にて露呈される上記操作部材により作動可能に設けられた操作スイッチと、
上記操作スイッチが実装され、該操作スイッチが上記操作用開口部にて露呈される上記操作部材に対応して配置されるように配設された回路基板と、
上記表示ユニットの表示面とは反対側の面を支持する第一の部位と、上記回路基板における上記操作スイッチが実装された面とは反対側の面を支持する第二の部位とからなり、該第二の部位は、少なくとも上記回路基板のアース部と接触するように形成された導電部材と、
を備えたことを特徴とする電子機器。
【請求項２】
上記導電部材の第二の部位は、上記回路基板における操作スイッチが実装された部位の反対側の部位を支持するように形成されていることを特徴とする請求項１記載の電子機器。
【請求項３】
上記導電部材は、電気的接続を行うためのリード線の移動を規制する第三の部位を形成してなることを特徴とする請求項１、または、２記載の電子機器。
【請求項４】
上記導電部材の第一の部位は、上記表示ユニットの表示面との反対側の面を全体的に覆うように形成されてなることを特徴とする請求項１乃至３記載の電子機器。
【発明の詳細な説明】
【０００１】
【発明の属する技術分野】
本発明は、表示装置を有する電子機器の構造に関する。
【０００２】
【従来の技術】
従来、表示装置を有する電子機器、例えば、電子カメラにおけるＬＣＤモニタなどの表示装置においては、通常、表示パネル表面に印加される静電気を回路のアース部に逃がすための静電気保護対策が施されている。例えば、特開平１１−１８５９９１号公報に開示の電子機器の表示装置は、その表面に透明導電シートが配置された表示パネルを有しており、その透明導電シートには導電手段が当接して配置されている。上記導電手段は、上記透明導電シートと回路基板のアース部との間を電気的に接続する部材であり、導電粘着剤付き導電シートや圧縮バネや導電ゴム等が適用される。
【０００３】
【発明が解決しようとする課題】
しかしながら、上述した特開平１１−１８５９９１号公報に開示の電子機器の表示装置においては、上記導電手段が静電気保護のための部材として配置する必要があり、部品点数が増加する。また、表示装置周りの構造も複雑化することになり、コンパクト化が難しかった。
【０００４】
本発明は、上述の不具合を解決するためになされたものであり、表示装置を内蔵する電子機器であって、部品点数を減らすことが可能であり、また、構造も簡単である電子機器を提供することを目的とする。
【０００５】
【課題を解決するための手段】
本発明の請求項１記載の電子機器は、表示ユニットの表示面を露呈させる表示用開口部と操作部材を露呈させる操作用開口部とを有する外装体と、上記表示用開口部にて上記表示面を露呈するように配置された上記表示ユニットと、上記外装体内において、上記操作用開口部にて露呈される上記操作部材により作動可能に設けられた操作スイッチと、上記操作スイッチが実装され、該操作スイッチが上記操作用開口部にて露呈される上記操作部材に対応して配置されるように配設された回路基板と、上記表示ユニットの表示面とは反対側の面を支持する第一の部位と、上記回路基板における上記操作スイッチが実装された面とは反対側の面を支持する第二の部位とからなり、該第二の部位は、少なくとも上記回路基板のアース部と接触するように形成された導電部材とを備えており、上記導電部材により上記表示ユニットの外部は、上記回路基板のアース部に対して電気的導通状態となる。
【０００６】
本発明の請求項２記載の電子機器は、請求項１記載の電子機器において、上記導電部材の第二の部位は、上記回路基板における操作スイッチが実装された部位の反対側の部位を支持するように形成されている。
【０００７】
本発明の請求項３記載の電子機器は、請求項１、または、２記載の電子機器において、上記導電部材は、さらに、電気的接続を行うためのリード線の移動を規制する第三の部位を形成してなる。
【０００８】
本発明の請求項４記載の電子機器は、請求項１乃至３記載の電子機器において、上記導電部材の第一の部位は、上記表示ユニットの表示面とは反対側の面を全体的に覆うように形成されてなる。
【０００９】
【発明の実施の形態】
以下、本発明の実施の形態を図に基づいて説明する。
図１，２は、本発明の一実施形態の電子機器である電子カメラの外観を示す斜視図であって、図１は、前面側から見た斜視図であり、図２は、背面側から見た斜視図である。図３は、上記電子カメラを構成する操作スイッチ／表示装置ユニットと、撮像記録処理ユニットと前，後カバーの分解斜視図である。図４は、上記操作スイッチ／表示装置ユニットの分解斜視図である。図５は、撮像記録処理ユニットの一部の分解斜視図、図６は、撮像記録処理ユニットの他の一部の分解斜視図である。図７は、図３のＣ−Ｃ断面図であって、操作スイッチ部の組み付け状態を示す。図８は、図３のＤ−Ｄ断面図であって、ＬＣＤ表示部の組み付け状態を示す。図９は、図１のＡ−Ａ断面図であって、ストロボコンデンサの収容状態を示す。図１０は、上記撮像記録処理ユニットを構成する各部材の配置を示す図である。図１１は、図１０のＥ矢視図である。図１２は、図１０のＦ矢視図である。図１３は、図１のＢ−Ｂ断面図であって、レリーズスイッチ部の断面を示す。図１４は、図１３のＧ−Ｇ断面図である。図１５は、図１４のＨ矢視図である。図１６は、図１５のＩ−Ｉ断面図である。
【００１０】
なお、以下の説明において、電子カメラの撮影レンズ光軸Ｏ1 （後述）と平行な前後方向（Ｚ方向とする）は、被写体側（前面側）を前方、背面側を後方とし、光軸Ｏ1 と垂直な左右方向（Ｘ方向とする）は、被写体側からみたときの方向で示し、光軸Ｏ1 と垂直な上下方向（Ｙ方向とする）は、レリーズ釦（後述）側を上方向として示す。
【００１１】
また、後述する前，後カバーやフレームに設けられるネジ穴，ビス挿通穴，位置決めピンの方向がＺ方向に沿っているものについては、その方向は、明記しない。
【００１２】
また、図３において、符号ａ1 〜ａ5 は、ビス挿通位置と方向を示しており、同一の符号は、同一のビスの挿通方向と位置を示している。
【００１３】
本実施形態の電子カメラ１は、主に前カバー２と、後カバー３と、モード設定操作やモニタ表示を行う操作スイッチ／表示装置ユニット３１と、撮像，記録を行う撮像記録処理ユニット３２とで構成される（図３参照）。
【００１４】
上記電子カメラ１の外観上の配置から説明すると、図１，２に示すようにカメラ前面側の外装体である前カバー２上に開閉移動可能なレンズバリア４と、撮影レンズ６３のためのレンズ開口部２ａと、ファインダ開口部２ｂと、ストロボ発光部１２と、セルフタイマ表示部１３とが配置されている。前カバー２の左側面には、支持部２ｃにより回動開閉可能に支持されるメディアスロット蓋６が配置されている。
【００１５】
上記電子カメラ１の背面側の外装体である後カバー３上には、グリップ部３ｙとファインダ接眼窓１５と、操作用開口に配設されるスイッチ操作部材４１と、ＬＣＤ表示部４６のための表示用開口３ｄとが配置されている。上記スイッチ操作部材４１は、メニュー選択釦２１，ＬＣＤ表示オンオフ操作釦２２，テレおよびワイド操作兼用の十字キーである上下操作釦１７，１８およびストロボ撮影モード選択およびマクロ撮影モード選択操作兼用の十字キーである左右操作釦１９，２０からなる。後カバー３の右側面の端子開口部にＤＣ−ＩＮプラグ２４，ビデオ出力端子部２５，ＵＳＢ端子部２６が配置されている。それらの端子部は、端子部蓋２７により開閉可能になっている。
【００１６】
さらに、前カバー２，後カバー３のカメラ上面側には、測距，測光処理と撮影実行を指示する２段動作のレリーズ釦（以下、Ｒ釦と記載する）１１のみが配置されている。
【００１７】
図３に示すように上記電子カメラ１においては、操作スイッチ／表示装置ユニット３１と撮像記録処理ユニット３２が前カバー２と後カバー３により覆われた状態で収容される。
【００１８】
上記前カバー２には、上述したようにその前面部にレンズ開口部２ａ，ファインダ開口部２ｂが設けられ、また、ストロボ開口部２ｃ，セルフタイマ開口部２ｄ，開閉可能なレンズバリア４などが設けられ、左側には記録メディアを挿脱するための開閉可能なメディアスロット蓋６が配置されている。
【００１９】
さらに、前カバー２の上面部であって、後カバー３との接合部に半月凹形状のＲ釦用開口部２ｍが設けられている。上記開口部２ｍの内側には、段部２m1が設けられている（図１４参照）。
【００２０】
前カバー２の左方部にビス挿通穴２ｆ，２ｇと、Ｙ方向に沿ったビス挿通穴２ｉ，２ｊとが設けられている。前カバー２の下端部にＸ方向に延びる係合用溝部であってフレーム５５の凸部５５z5（図５参照）との係合溝部２ｋが設けられている。
【００２１】
上記後カバー３には、背面部にファインダ接眼部開口３ａと、スイッチ操作部材４１の各操作釦が挿入される２つの釦用開口（操作用開口）である３ｂ、および、互いに対向して配置される４つの釦用開口（操作用開口）３ｃと、表示用開口３ｄが設けられている。左方部にはグリップ部３ｙと、メディアスロット開口切り欠き部３z3が設けられている。右方端部には、上述したＤＣＩＮプラグ２４，ビデオ出力端子部２５，ＵＳＢ端子部２６のための３つの開口部３ｘが配されている。また、上記表示用開口３ｄの内面側の四隅にはＬＣＤ表示部４６の位置決めガイド部３ｅが設けられている。
【００２２】
上記後カバー３の底面部には、その左方部に開閉可能な電池蓋５が配置されており、中央寄りに三脚ネジブロック２８が配置されている。さらに、後カバー３の上面部のグリップ部３ｙ近傍の前カバー２との接合部には、半月凹形状のＲ釦用開口部３ｇが設けられている。上記開口部３ｇの内側には、段部３g1が設けられている（図１３参照）。なお、後カバー３の上記電池蓋５の上方部は、電池収納室３ｆとなっている。
【００２３】
また、上記後カバー３の背面部の釦開口３ｂ，３ｃ，表示用開口３ｄ周りの内部には、位置決めピン３ｈ，３ｉおよび各ボス上にビス用ネジ穴３ｋ，３ｍ，３ｎ，３ｐが配されている。また、後カバー３の右上方部にビス挿通穴３ｕが配され、左方部にボス上のビス用ネジ穴３ｑ，３ｒが配されている。さらに、上記後カバー３の底面部には、Ｙ方向に沿ったビス挿通穴３ｖ，３ｗが設けられている。
【００２４】
上記操作スイッチ／表示装置ユニット３１は、図４にも示すようにスイッチ操作部材（操作部材）４１と、回路基板である操作スイッチ回路基板（以下、ＳＷ回路基板と記載する）４２と、ＬＣＤ表示部４６と、金属板製の導電部材である導電支持板５０とからなる。
【００２５】
上記スイッチ操作部材４１は、２つの円板形状の操作釦２１，２２と、４つの台形形状の操作釦１７，１８，１９，２０とが平面状に配置された樹脂成形部材であって、それぞれの操作釦は、３／４円環状の基部４１ｃに対して弾性変形可能な細い腕部で連結されている。上記各操作釦の内部中央には、後述するスイッチ部を押圧可能なピン１７ａ，１８ａ等が設けられている。また、上記基部４１ｃには、その外周部に２つの位置決め穴４１ａ，４１ｂが設けられている。上記各操作釦は、上記後カバー３の釦開口３ｂ，３ｃにそれぞれ挿入可能である。
【００２６】
上記ＳＷ回路基板４２には、位置決め用ピン穴４２ｂ，４２ｄと、固定用ビス挿通穴４２ａと、後カバー３のネジ穴用ボスの逃げ用切り欠き４２ｃ，４２ｅとが設けられている。さらに、上記ＳＷ回路基板４２の実装面側（組み付け状態でカメラ背面側となる）には、図７の断面図に示すように弾性変形可能な被押圧部１２１ａ，１２２ａをもつスイッチ部１２１，１２２、および、図示しない他のスイッチ部等からなるスイッチ群とが実装されている。
【００２７】
上記ＳＷ回路基板４２に実装される上記スイッチ部１２１，１２２等は、図７に示すように組み付け状態で上記操作釦１７，１８等に対向した位置に実装される。なお、上記スイッチ部１２１，１２２および図示しない他のスイッチ部は、それぞれテレ操作スイッチ、ワイド操作スイッチ、および、ストロボ撮影モード選択スイッチ，マクロ撮影モード選択スイッチ，メニュー選択スイッチ，ＬＣＤ表示オンオフスイッチ等である。
【００２８】
上記ＳＷ回路基板４２の実装面の裏面側には、ビス挿通穴４２ａの周囲にアース導電パターン部４２ｆが配される。上記アース導電パターン部４２ｆは、ＳＷ回路基板４２のアース部に導通している。このアース部は、組み立て状態でＦＰＣコネクタ１１１等を介して後述するメイン回路基板８１（以下、Ｍ回路基板と記載する）のアース部に接続される。
【００２９】
さらに、上記ＳＷ回路基板４２の右端部には、ＤＣ−ＩＮプラグ２４，ビデオ出力端子部２５，ＵＳＢ端子部２６が実装されている。
【００３０】
上記ＳＷ回路基板４２からは、コネクタ１１１が付されたフレキシブルプリント基板（以下、ＦＰＣと記載する）が導出している。さらに、上記ＳＷ回路基板４２からＤＣ−ＩＮコネクタ部２４のリード線が導出され、その先端にコネクタ１０７が設けられている。
【００３１】
上記ＬＣＤ表示部４６は、図８の断面図にも示すようにＬＣＤ（液晶表示ユニット）４７と、ＬＣＤ４７の裏側に配される拡散板４８ａ付きバックライト４８と、表示面以外を覆う金属製シールド板４９とからなる。
【００３２】
ＬＣＤ表示部４６のＬＣＤ４７の表示面は、装着時、後カバー３の表示用開口３ｄより外面に露呈される。また、上記ＬＣＤ４７よりＦＰＣコネクタ１１３付きＦＰＣが導出している。同様に上記バックライト４８の基板部よりコネクタ１０９付きのリード線が導出している。
【００３３】
上記導電支持板５０は、図４に示すようにＬＣＤ表示部４６の背部を押さえて支持する第一の部位のＬＣＤ支持部５０ａと、ＳＷ回路基板４２およびスイッチ操作部材４１を支持する第二の部位であるスイッチ支持部５０ｂとが一体の金属板で形成されてなる。
【００３４】
上記ＬＣＤ支持部５０ａは、ＬＣＤ表示部４６の表示面以外、あるいは、表示面の裏面を覆った状態で形成される。そして、中央部にＬＣＤ表示部４６側へ折り曲げられた弾性変形可能な上下２つの舌部５０ｎを有し、左端部に上下２つのビス挿通穴５０ｉが設けられている。また、下方には、上記ＬＣＤ４７より導出する上記ＦＰＣをガイドする押さえ部５０ｐが設けられている。
【００３５】
なお、上記舌部５０ｎは、組み付け状態でＬＣＤ表示部４６の表示面の反対側のシールド板４９の背面に当接してＬＣＤ表示部４６を支持する。したがって、上記ＬＣＤ支持部５０ａは、上記ＬＣＤ４７を囲む上記シールド板４９に対して電気的に導通する。
【００３６】
上記スイッチ支持部５０ｂには、ＳＷ回路基板４２側へ突出する中央の凸部５０ｄ上にビス挿通穴５０ｃと、他の凸部上にビス挿通穴５０ｆ，ピン穴５０ｅとが設けられている。上記凸部５０ｄは、組み付け状態でＳＷ回路基板４２上のアース導電パターン部４２ｆに接触する（図７参照）。
【００３７】
さらに、上記スイッチ支持部５０ｂの右方端部側には、２つのビス挿通穴５０ｍと、左方側に２つのビス挿通長穴５０ｊとピン穴５０ｋが設けられている。
【００３８】
またさらに、上記スイッチ支持部５０ｂには、ＳＷ回路基板４２のスイッチ実装面の裏面に当接可能なように突き出した１０箇所の凸部５０ｈが設けられている。この凸部５０ｈの１０箇所うちの６箇所は、上記ＳＷ回路基板４２上のスイッチ部１２１，１２２および他のスイッチ部の実装部位の裏面位置に当接する（図７参照）。したがって、操作釦１７，１８等が押圧操作され、対応するスイッチ１２１，１２２等が押圧されたとき、その押圧力によるＳＷ回路基板４２の変形は、上記凸部５０ｈにより阻止される。なお、上記当接位置は非導電部とする。
【００３９】
さらに、上記スイッチ支持部５０ｂには、下方に突出する第三の部位であるリード線押さえ部５０ｑが設けられている。そのリード線押さえ部５０ｑは、プラスチック製チューブ５１で被覆されているので、近傍を通過するリード線、すなわち、ＳＷ回路基板４２や上記バックライト４７の基板部より導出されるリード線を上記リード線押さえ部５０ｑにより保持することができる。
【００４０】
上記操作スイッチ／表示装置ユニット３１を後カバー３の内部に取り付ける場合は、スイッチ操作部材４１の各操作釦２１，２２，１７，１８，１９，２０をそれぞれ対応する後カバー３の釦開口３ｂ，３ｃ等にカバー内側から挿入する。そのとき、スイッチ操作部材４１の位置決め穴４１ａ，４１ｂに後カバー３の位置決めピン３ｉ，３ｈを挿入させる。
【００４１】
続いて、上記操作釦の挿入状態でＳＷ回路基板４２の位置決め穴４２ｂ，４２ｄに後カバー３の位置決めピン３ｉ，３ｈを挿入させる。さらに、切り欠き４２ｃ，４２ｅ等を後カバー３のネジ部３ｋ，３ｎ等のボス部を挿通させながらスイッチ操作部材４１の上方に嵌め込む。
【００４２】
一方、ＬＣＤ表示部４６を後カバー３の位置決めガイド部３ｅ内の表示用開口３ｄ上に嵌め込む。そこで、導電支持板５０のＬＣＤ支持部５０ａをＬＣＤ表示部側に、スイッチ支持部５０ｂをスイッチ回路基板側に当て付けて取り付ける。
【００４３】
上記導電支持板５０の当て付け状態にて、２本のビス１３０をビス挿通穴５０ｆおよび５０ｃを挿通させ、後カバー３のネジ穴３ｋ，３ｊに螺着する。同時に６本のビス１３１をビス挿通穴５０ｉや５０ｍ等を挿通させ、後カバー３のネジ穴３ｐ，３ｍ等に螺着する。
【００４４】
上記ビスによる螺着取り付け状態では、上記導電支持板５０を介してＳＷ回路基板４２が後カバー３に固着され、同時に上記各操作釦２１，１７等が釦開口３ｂ，３ｃ内で押圧可能な状態で支持される（図７参照）。同時に上記導電支持板５０を介してＬＣＤ表示部４６は、その表示面を表示用開口３ｄから露呈した状態で後カバー３に固着される（図８参照）。
【００４５】
上述したように操作スイッチ／表示装置ユニット３１を後カバー３の内部の取り付けた状態では、ＬＣＤ表示部４６のシールド板４９は、導電支持板５０に電気的に導通し、さらに、導電支持板５０は、凸部５０ｄを介してＳＷ回路基板４２のアース導電パターン部４２ｆに導通状態となる。前述したように上記アース導電パターン部４２ｆは、ＳＷ回路基板４２のアースパターンに導通しており、コネクタを介して後述するＭ回路基板８１のアース部に接続される。
【００４６】
したがって、ＬＣＤ表示部４６やＳＷ回路基板４２に帯電した静電気は、Ｍ回路基板８１側に逃がされ、電気部材を静電気による誤動作や破壊から保護できる。なお、上記ＬＣＤ表示部４６には、すでにシールド板４９が適用されており、ＬＣＤやバックライトからの高周波雑音に対してシールドされているが、そのシールド効果を上記導電支持板５０によりさらに増すことができる。さらには、上記シールド板４９を省くことも可能である。
【００４７】
上記撮像記録処理ユニット３２は、フレーム５５と、撮像光学系ブロック９１と、電源／ストロボ回路ブロック９２と、メイン回路ブロック９３と、レリーズスイッチブロック７７とからなる。
【００４８】
上記フレーム５５は、撮像光学系ブロック９１，電源／ストロボ回路ブロック９２，メイン回路ブロック９３，レリーズスイッチブロック７７が組み付け可能な部材であって、底面側と背面側とが開口する電池室５５ｚが配設されている。
【００４９】
そして、上記フレーム５５の中央上部には、前方に突出する形状のストロボ発光部係止部５５ｑが設けられる。また、上記係止部５５ｑの後方部には、ＸＹ平面に沿った壁面と軸方向がＸ方向に沿う円弧状の下方内周壁面とからなる壁部で形成されるコンデンサ室５５ｍが設けられている。上記コンデンサ室５５ｍは、上方向と背面方向および右方側は開放状態となっている。また、コンデンサ室５５ｍのＸＹ平面に沿った上記壁面の外側の外方壁部５５m0は、Ｍ回路基板８１の取り付け当接面となる。
【００５０】
コンデンサ室５５ｍの外周下方位置には、後述するＰ／Ｓ回路基板５６のＺ方向位置規制用の爪５５ｎと当接面５５ｐが配置されている。コンデンサ室５５ｍの下方の電池室５５ｚの外周面に沿って電池室から導出されるリード線の係止部５５ｒが配置されている。
【００５１】
上記フレーム５５の左方上面部には、レリーズスイッチブロック７７装着用の円筒状壁部からなるスイッチ装着部５５ｗが設けられている。このスイッチ装着部５５ｗは、上方に開口し、その外周部は、フレーム５５前面よりわずかに前方に突出している。その突出外周部に開口部５５ｘが設けられ、開口部５５ｘに係止手段であるＲ釦係止用切り欠き部５５w3，５５w3が対向して配置されている。
【００５２】
さらに、上記フレーム５５には、撮像光学系本体（後述する）６２を位置決め、または、固定するための位置決めピン５５ｄ、および、ネジ穴５５ｅが右方の撮像光学系本体装着部の上下に設けられている。中央部には位置決めピン５５ａ，５５ｂ、および、ネジ穴５５ｃが設けられている。上記位置決めピン５５ａ，５５ｂ、および、ネジ穴５５ｃは、電源／ストロボ回路ブロック９２の電源／ストロボ回路基板（以下、Ｐ／Ｓ回路基板と記載する）５６を保持する電気基板保持部となる。但し、上記位置決めピン５５ａ，５５ｂは、Ｐ／Ｓ回路基板５６の位置決め穴５６ａ，５６ｂにガタのある状態で嵌合するピンであり、Ｐ／Ｓ回路基板５６をビスで固定しない状態では、基板面方向であるＸ，Ｙ平面上で所定量遊びのある状態で仮保持する仮保持部となる。なお、Ｐ／Ｓ回路基板５６は、後述するようにＭ回路基板８１を固定して、直付けコネクタを接続した後、ビスで固定される。
【００５３】
またさらに、フレーム５５の左右下方位置，左上方位置にメイン回路ブロック９３のＭ回路基板８１を位置決め、または、固定する位置決めピン５５ｊ，５５ｆ、および、ネジ穴５５ｇが設けられる。左端上下部、または、右方上部には、前，後カバー固着用のビスが挿通する切り欠き５５ｓ、ビス挿通穴５５ｔ，５５ｕが設けられている。底面部には、前，後カバー２，３との固定用のＹ方向のネジ穴５５ｖが設けられている。
【００５４】
上記フレーム５５の左方下端部には、前カバー２の溝２ｋに嵌入する突起５５z5が設けられている。
【００５５】
上記フレーム５５の電池室５５ｚの上部の電極端子部７８からコネクタ１０３を有するリード線が導出している。上記リード線は、リード線係止部５５ｒに係止されて下方に導かれる。
【００５６】
上記撮像光学系ブロック９１は、図５に示すように撮像光学系本体６２と、光軸Ｏ1 を有する前群レンズ部６３と、上記被写体光を後群レンズ部側に向けて反射するミラー部（図示せず）と、光軸Ｏ1 と直交する光軸Ｏ2 を有する後群レンズ部（図示せず）と、撮像回路基板６４と、ＦＰＣを介して取り付けられるコネクタ１１５と、後述するファインダ光学系ユニット部とを有してなる。
【００５７】
なお、上記撮像回路基板６４には、撮像素子のＣＣＤ６５や撮像信号前処理用ＩＣ６６が実装されており、該回路基板６４は、光軸Ｏ2 に直交して配置される。
【００５８】
また、上記ファインダ光学系ユニット部は、撮像光学系本体６２の上部に配置され、対物ファインダレンズ６７と接眼レンズ部６８とファインダ内表示用ライトガイド部６９とを有してなる。
【００５９】
上記撮像光学系ブロック９１においては、前群レンズ部６３により取り込まれる被写体光は、上記ミラー部で反射され、後群レンズ部を介してＣＣＤ６５の結像面に被写体像として結像する。ＣＣＤ６５にて被写体像は、電気的撮像信号に変換され、撮像前処理ＩＣ６６で撮像前処理が施される。上記前群レンズ部６３は、撮像光学系本体６２に対して光軸Ｏ2 方向に微少距離だけ進退自在に支持されており、図示しないフォーカシング駆動部によりフォーカシング駆動がなされる。
【００６０】
上記撮像光学系ブロック９１をフレーム５５に装着する場合、撮像光学系本体６２の上下の位置決め穴６２ａを位置決めピン５５ｄに挿入し、ビス１３３を上下のビス挿通穴６２ｂに挿通させ、ネジ穴５５ｅに螺着して固定する。
【００６１】
上記電源／ストロボ回路ブロック９２は、回路構成部材が実装される第一の電気基板のＰ／Ｓ回路基板（電源／ストロボ回路基板）５６とリード線を介して接続されるストロボ発光部６０およびコネクタ１０５を有してなる。上記回路基板５６には、電源回路部材およびストロボ発光制御回路が実装され、さらに、ストロボ発光チャージ用のストロボコンデンサ５７と、コネクタ１０２，１０４，１０８，１１０とが実装されている。
【００６２】
上記Ｐ／Ｓ回路基板５６は、フレーム５５の前方から挿入してＸ，Ｙ面に沿って配置される回路基板であり、上方位置に突出する部分を有している。そして、上記Ｐ／Ｓ回路基板５６の左端は、フレーム５５の電池室右端外面位置まで延びており、右端は、撮像光学系本６２の左端まで延びている。
【００６３】
上記ストロボコンデンサ５７は、上記Ｐ／Ｓ回路基板５６上方突出部の左側にコンデンサ本体部がＸ方向に沿った状態で実装される（図１０参照）。そして、上記コンデンサ５７の回路基板５６への実装は、接続脚部（リード線部材）５７ａにより片持ち状態で接続固定される。
【００６４】
上記Ｐ／Ｓ回路基板５６に実装される上記コネクタ１０２は、後述するＭ回路基板８１と対向する実装面側に実装され、上記Ｍ回路基板８１に実装されるコネクタ１０１に対してリード線等を介することなく、回路基板同士を嵌合させて直接接続される（すなわち、BOARD TO BOARD 結合）。
【００６５】
上記ストロボ発光部６０は、反射傘を内蔵する発光部本体５８とストロボ発光管５９よりなる。発光部本体５８には、フレーム５５のストロボ発光部係止部５５ｑに係合可能な被係止部が設けられている。
【００６６】
上記メイン回路ブロック９３は、回路構成部材が実装される第二の電気基板のＭ回路基板（メイン回路基板）８１からなる。
【００６７】
Ｍ回路基板８１は、撮像光学系ブロック９１の配置領域の前方部分を切り欠いた形状を有し、Ｐ／Ｓ回路基板５６を覆うようにして配置される（図１０〜１２参照）。
【００６８】
さらに、Ｍ回路基板８１の後面側、すなわち、Ｐ／Ｓ回路基板５６側には、カメラ制御用ＣＰＵ８２，圧縮，記録等の画像処理用ＩＣ８３，ファインダ内表示用のＬＥＤ８９，上記Ｐ／Ｓ回路基板５６との接続用コネクタ１０１などが実装されている。
【００６９】
またさらに、上記Ｍ回路基板８１の前面側には、ブザー部８４，バックアップ電池８５，バリアスイッチ部８６，メディアスロット８７，メディアスロット蓋開閉検出スイッチ８８，コネクタ１１２，１１４，１１６，１１８，１２０などが実装されており、位置決め穴８１ａ，位置決め長穴８１ｃ，ビス挿通穴８１ｂ，８１ｄが設けられている。
【００７０】
なお、上記ＬＥＤ８９は、取り付け状態にて撮像光学系ブロック９１のファインダ内表示用ライトガイド部６９と対向する位置に配置される。コネクタ１０１は、すでに説明したように上記Ｐ／Ｓ回路基板５６上のコネクタ１０２と対向し、直接嵌合して接続可能とする。
【００７１】
上記Ｐ／Ｓ回路基板５６とＭ回路基板８１をフレーム５５に取り付けるには、まず、撮像光学系ブロック９１、および、Ｍ回路基板８１の未装着状態であり、その前面が開放された状態のもとでＰ／Ｓ回路基板５６をフレーム５５に挿入するが、ネジ止めを行わず、位置決めピンによる基板面方向に遊びのある仮保持状態とする。
【００７２】
上記Ｐ／Ｓ回路基板５６をフレーム５５に装着して上述のように仮保持するとき、ストロボコンデンサ５７を同時にコンデンサ室５５ｍに挿入する。そのコンデンサ挿入動作は、図９に示すようにＰ／Ｓ回路基板５６をＺ方向（光軸Ｏ1 方向）に対して角度θａだけ傾斜させた状態にして、ストロボコンデンサ５７を図５に示すフレーム５５の右側のｂ1 方向からｂ2 方向に沿ってコンデンサ室５５ｍに挿入する。
【００７３】
上記ストロボコンデンサ５７挿入後、Ｐ／Ｓ回路基板５６をフレーム５５に対してＲ1 方向に上記コンデンサ５７を中心に回動させて垂直状態とする。そして、Ｐ／Ｓ回路基板５６をフレーム５５の当接面５５ｐに当接させ、爪５５ｎに係合させてＺ方向の位置を決め、位置決め穴５６ａ，５６ｂをフレーム５５の位置決めピン５５ａ，５５ｂに挿入する。
【００７４】
上記Ｐ／Ｓ回路基板５６の挿入状態では、上記フレーム５５の位置決めピン５５ａ，５５ｂと位置決め穴５６ａ，５６ｂとは、前述したようにＸ，Ｙ平面（基板面）の全方向にがたあるので、Ｐ／Ｓ回路基板５６は、Ｘ，Ｙ平面上で所定量移動可能な仮保持状態となる。
【００７５】
なお、上記Ｐ／Ｓ回路基板５６の仮保持状態で電池室からのリード線のコネクタ１０３をＰ／Ｓ回路基板５６のコネクタ１０４に接続させておく。
【００７６】
上記Ｐ／Ｓ回路基板５６の仮保持挿入後、上記撮像光学系ブロック９１をフレーム５５に取り付ける。
【００７７】
続いて、Ｍ回路基板８１を上記Ｐ／Ｓ回路基板５６に被せた状態で装着する。その場合、位置決め穴８１ａ，長穴８１ｃにフレーム５５の位置決めピン５５ｆ，５５ｊを挿入し、同時にコネクタ１０１をＰ／Ｓ回路基板５６のコネクタ１０２に嵌合させる。その状態でビス１３４，１３５をビス挿通穴８１ｂ，８１ｄを挿通させ、フレーム５５のネジ穴５５ｇ，５５ｉに螺着してＭ回路基板８１を固定し、固着状態とする。そのとき、フレーム５５，メディアスロット８７，ストロボ発光部６０等の相対位置関係を確認しながらＭ回路基板８１を固定する。
【００７８】
上記Ｍ回路基板８１の固定時にコネクタ１０１に対してコネクタ１０２を嵌合させ、結果的にＰ／Ｓ回路基板５６が最終的に位置決めされる。この位置決め状態でビス１３２をＭ回路基板８１の切り欠き８１ｅからビス挿通穴５６ｃを挿通させ、フレーム５５のネジ穴５５ｃに螺着してＰ／Ｓ回路基板５６をフレーム５５に固定する。
【００７９】
上記Ｍ回路基板８１、および、Ｐ／Ｓ回路基板５６をフレーム５５に固定後、ストロボ発光部本体５８をフレーム５５のストロボ発光部係止部５５ｑに係止させてストロボ発光部６０を取り付ける。
【００８０】
上記レリーズスイッチブロック７７は、図５に示すようにレリーズスイッチＦＰＣ（以下、ＲＳＷ用ＦＰＣと記載する）７５と、レリーズ釦ユニット（以下、Ｒ釦ユニットと記載する）７１とを有してなる。このレリーズスイッチブロック７７は、上記フレーム５５上面部の円筒凹形状のスイッチ装着部５５ｗに装着される。
【００８１】
上記ＲＳＷ用ＦＰＣ７５は、円板形状を有し、その円板部中央に２段動作のレリーズスイッチ部（以下、ＲＳＷ部と記載する）７６が実装される。また、外方に延出した先端部にコネクタ部１１９を有している。
【００８２】
上記Ｒ釦ユニット７１は、Ｒ釦１１と、釦支持体７２と、釦付勢バネ７３とからなり、上記釦支持体７２は、Ｒ釦規制部材であって、Ｒ釦１１をＹ方向に移動可能に支持し、かつ、その移動量を規制する部材である。上記釦付勢バネ７３は、Ｒ釦１１を上方に付勢する円錐圧縮バネからなる弾性部材である。
【００８３】
上記Ｒ釦１１は、図１３，１４に示すように中央部にスイッチ押圧用突起１１ａと、突起１１ａと同方向に延びる２本の脚部に設けられる係止爪部１１ｄと、外周部に段差部１１ｃとを有している。
【００８４】
上記釦支持体７２は、図１３〜１６に示すように円筒形状部材であり、貫通穴７２ａと、挿通穴７２ｃと、円筒部外方突出部７２ｅと、対向する係止突起７２ｄとを有している。なお、上記貫通穴７２ａは、Ｒ釦１１の突起１１ａが嵌合して貫通する。上記挿通穴７２ｃは、Ｒ釦１１の係止爪部１１ｄを持つ脚部を挿通可能であって、その挿通状態では、上記係止爪部１１ｄによりＲ釦１１の上方への移動量が規制される。係止突起７２ｄは、円筒部外方突出部７２ｅの両側面に設けられる係止手段であって、フレーム５５の２つのＲ釦係止用切り欠き部５５w3が係合可能である。
【００８５】
上記レリーズスイッチブロック７７のフレーム５５のスイッチ装着部５５ｗへの装着状態は、図１３〜１６に示す。但し、図１３〜１５には、前，後カバーを組み付けた状態も併せて示されている。
【００８６】
上記レリーズスイッチブロック７７は、フレーム５５に装着するに際してＲ釦１１と釦支持体７２とをＲ釦ユニット７１としてユニット化する。すなわち、釦付勢バネ７３をＲ釦１１と釦支持体７２の間に介在させた状態で、Ｒ釦１１の係止爪１１ｄを釦支持体７２の挿通穴７２ｃに通し、上記係止爪部１１ｄが釦支持体７２に係止させるとＲ釦ユニット７１が完成する。Ｒ釦ユニット７１のＲ釦１１は、釦支持体７２に対して釦付勢バネ７３の付勢力で上方に付勢されており、下方に所定ストローク押圧操作可能である。
【００８７】
一方、ＲＳＷ用ＦＰＣ７５は、図５，１４に示すようにフレーム５５のスイッチ装着部５５ｗの底面部に位置決めピン５５w1，５５w2によって回転止めされた状態で配置する。そのとき、コネクタ部１１９は、開口部５５ｘを介して外部に露呈される。
【００８８】
そこで、Ｒ釦ユニット７１をフレーム５５のスイッチ装着部５５ｗに挿入して、釦支持体７２の底面７２ｂを上記ＲＳＷ用ＦＰＣ７５の上面に当接させる。そのとき、釦支持体７２の係止突起７２ｄが弾性変形によりフレーム５５の２つのＲ釦係止用切り欠き部５５w3に係合状態となる。この係合状態ではＲ釦ユニット７１がＲＳＷ用ＦＰＣ７５と共にフレーム５５のスイッチ装着部５５ｗに着脱自在に保持された状態である。
【００８９】
この状態ではＲ釦１１を押圧操作すればＲＳＷ７６をオンオフすることができる。しかし、意識的に取り外そうとすれば取り外すことができる仮り組み状態のハンドリング可能な状態である。
【００９０】
上述のように撮像光学系ブロック９１，電源／ストロボ回路ブロック９２，メイン回路ブロック９３と、レリーズスイッチブロック７１をフレーム５５に組み付け、さらに、対応する各コネクタを接続すると、撮像記録処理ユニット３２が部分組み立てユニットとして完成する。
【００９１】
なお、上記撮像記録処理ユニット３２の部分組み立て状態で各対応するコネクタ同士を接続させる。すなわち、コネクタ１０３とコネクタ１０４、コネクタ１０５とコネクタ１０６、コネクタ１０７とコネクタ１０８、コネクタ１０９とコネクタ１１０、コネクタ１１１とコネクタ１１２、コネクタ１１３とコネクタ１１４、コネクタ１１５とコネクタ１１６、コネクタ１１７とコネクタ１１８、コネクタ１１９とコネクタ１２０をそれぞれ接続させる。
【００９２】
次に、上述した構成部材の最終組み立てについて説明する。
上記部分組み立てが完了した撮像記録処理ユニット３２を挟んだ状態で上記前カバー２と、スイッチ／表示装置ユニット３１が組み付けられた上記後カバー３とを前後方向から接合させる。その接合状態では、前カバーの溝部２ｋにフレーム５５の突起部５５z5を嵌合させ、同時に後カバー３の外周の凹部３z4に前カバー２の凸部２ｚを嵌入させる（図９参照）。そして、フレーム５５に装着されているＲ釦ユニット７１のＲ釦１１およびスイッチ装着部（壁部）５５ｗを前カバー２のＲ釦用開口部２ｍと後カバー３のＲ釦用開口部３ｇとで挟んだ状態で上記前，後カバー２，３は接合される（図１４参照）。
【００９３】
上記接合状態のもとで２本のビス１３６を前方から挿通穴２ｆ，２ｇを挿通させ、さらに、フレーム５５の切り欠き５５ｓ，挿通穴５５ｔを挿通させて後カバー３のネジ穴３ｑと３ｒに螺着する。一方、背面側からビス１３７を後カバー３の挿通穴３ｕ、さらに、フレーム５５の挿通穴５５ｕを挿通させて前カバー２のネジ穴２ｈに螺着させる。また、底面側からビス１３８を後カバー３の挿通穴３ｖと前カバー２の挿通穴２ｉとを挿通させ、フレーム５５のネジ穴５５ｖに螺着させる。同時に底面側からビス１３９を後カバー３の挿通穴３ｗと前カバー２の挿通穴２ｊとを挿通させ、三脚ネジブロック２８のネジ穴２８ａに螺着させる。
【００９４】
上記ビス１３６，１３８等の螺着により前カバー２と後カバー３とは、フレーム５５を覆った状態で接合固定され、電子カメラ１として組み立てが終了する。
【００９５】
上述した前カバー２，後カバー３が装着された組み立て状態では、ストロボコンデンサ５７は、図９に示すようにＺ方向に関しては、フレーム５５のストロボコンデンサ室５５ｍの壁部（規制部）と後カバー３のＺ方向内壁部（規制部）３z1とで挟まれ、わずかな隙間、あるいは、隙間のない状態で保持される。一方、Ｙ方向に関してもフレーム５５のストロボコンデンサ室５５ｍの壁部（規制部）と後カバー３のＹ方向内壁部（規制部）３z2とで挟まれ、わずかな隙間、あるいは、隙間のない状態で保持される。したがって、ストロボコンデンサ５７の全方向の変位は規制され、あばれ（振動）も抑えられる。
【００９６】
また、前カバー２，後カバー３が装着された状態では、図１３，１４に示すようにＲ釦１１は、前カバー２，後カバー３の凹部２ｍ，３ｇに位置しており、Ｒ釦１１は、下方向に押圧操作が可能である。そして、釦支持体７２の外周上面部が前カバー２，後カバー３の段部２m1，３g1によって上方への移動を規制された状態に保持されることから、Ｒ釦１１を含むＲ釦ユニット７１の上方への外れが防止される。
【００９７】
上述のように組み立てられた電子カメラ１において、操作スイッチ釦１７，１８等を操作して、ＬＣＤ表示部４６の表示画面を観察しながら撮影モード等の設定を行うことができ、また、Ｒ釦１１の押圧操作に基づき、撮像光学系ブロック９１にて測光，フォーカシング，撮像が実行され、Ｍ回路基板８１上のメモリ部、または、装填されている画像記録メディアへの撮像データの記録を行うことができる。
【００９８】
上述した電子カメラ１によれば、ＬＣＤ表示部４６とＳＷ回路基板４２を単一部材の導電支持板５０で覆い、当接した状態で支持する。したがって、後カバー３の表示用開口部に露呈するＬＣＤ表示部４６に発生した静電気は、ＳＷ回路基板４２のアースラインを通してＭ回路基板８１のアース部に流れるので上記静電気による回路部材の破壊等が防止される。
【００９９】
また、ＬＣＤ表示部４６に発生する高周波雑音も上記導電支持板５０により効果的にシールドすることができる。上記ＬＣＤ表示部４６には、すでにシールド板４９が適用されているがそのシールド効果を上記導電支持板５０によりさらに増すことができる。
【０１００】
また、導電支持部材５０には、リード線を保持するリード線押さえ部５０ｑが設けられているので部品点数を減らすことができる。
【０１０１】
また、ＬＣＤ表示部４６とＳＷ回路基板４２とが単一の導電支持板５０で支持して後カバー３に固定することができので、取り付けが容易になり、構造も簡単になる。
【０１０２】
さらに、導電支持部材５０に設けた複数の凸部５０ｈをＳＷ回路基板４２に実装されるスイッチ部１２１，１２２等の裏面部位に当接させている。したがって、操作釦により上記スイッチ部１２１，１２２等が押圧されたとしても、その押圧力を上記凸部５０ｈで受けるのでＳＷ回路基板４２の変形、または、変位が防止される。
【０１０３】
次に、上記電子カメラのストロボコンデンサ組み込み構造の変形例について説明する。
図１７は、上記ストロボコンデンサ組み込み構造の変形例における撮像記録処理ユニット部を示す図であって、Ｐ／Ｓ回路基板５６組み込み直前の状態を示す正面配置図である。図１８は、図１７のＪ−Ｊ断面図である。
【０１０４】
上記変形例においては、図１７に示すようにフレーム５５′にストロボ発光部係止部５５ｑが設けられていない。したがって、ストロボコンデンサ実装済みのＰ／Ｓ回路基板５６をフレーム５５′に組み込む場合、図１７，１８に示すようにＰ／Ｓ回路基板５６を水平に保つ。ストロボコンデンサ５７をフレーム５５′のストロボ室５５ｍに上方からＳ2 方向に挿入する。挿入後、Ｐ／Ｓ回路基板５６をＲ2 方向に９０°回転させると、Ｐ／Ｓ回路基板５６は、フレーム５５′上にがたのある仮保持位置にセットすることができる。
【０１０５】
本変形例によれば、ストロボコンデンサ実装済みのＰ／Ｓ回路基板５６をフレーム５５′の所定位置に極めて簡単に挿入することができる。
【０１０６】
なお、前記実施形態の電子カメラ１に示した操作スイッチ／表示装置ユニット３１のスイッチ操作部材４１とＬＣＤ表示部４６の配置関係は、前記実施形態の配置に限らず、スイッチ操作部材４１がＬＣＤ表示部４６の右側位置、あるいは、上下位置に配置されている場合でも同等の構成を適用して同等の効果を得ることができる。
【０１０７】
また、上記実施形態、または、変形例は、撮像素子を用いる電子カメラに適用したものであるが、銀塩カメラ、あるいは、他の電子機器に対しても同様の構造を適用することが可能である。
【０１０８】
【発明の効果】
上述のように本発明の請求項１記載の電子機器は、表示ユニットに帯電する静電気を操作スイッチが実装される回路基板のアース部に逃がすために表示ユニットおよび回路基板を同一導電部材で支持するように構成することにより部品点数を減らすことができ、コスト面で有利となる。
【０１０９】
本発明の請求項２記載の電子機器は、請求項１記載の電子機器の効果に加えて、さらに、強い力が掛かる操作部分を変形することなく支持できるので、強度的に有利である。
【０１１０】
本発明の請求項３記載の電子機器は、請求項１、または、２記載の電子機器の効果に加えて、さらに、導電部材をリード線の移動を規制する部材としても兼用することができ、さらに、部品点数を減らせるのでコスト面で有利となる。
【０１１１】
本発明の請求項４記載の電子機器は、請求項１乃至３記載の電子機器の効果に加えて、さらに、表示ユニットのノイズをシールドする部材として兼用できる。また、シールド部材を有する表示ユニットに適用すると、さらなるシールド効果が期待できる。
【図面の簡単な説明】
【図１】本発明の一実施形態の電子機器である電子カメラの前面側から見た外観を示す斜視図。
【図２】上記図１の一実施形態の電子カメラの背面側から見た外観を示す斜視図。
【図３】上記図１の一実施形態の電子カメラを構成ずる操作スイッチ／表示部と、撮像記録処理ユニットと前，後カバーの分解斜視図。
【図４】上記図１の一実施形態の電子カメラにおける操作スイッチ／表示部の分解斜視図。
【図５】上記図１の一実施形態の電子カメラにおける撮像記録処理ユニットの一部の分解斜視図。
【図６】上記図１の一実施形態の電子カメラにおける撮像記録処理ユニットの他の一部の分解斜視図。
【図７】図３のＣ−Ｃ断面図。
【図８】図３のＤ−Ｄ断面図。
【図９】図１のＡ−Ａ断面図。
【図１０】図１の一実施形態の電子カメラの撮像記録処理ユニットを構成する各部材の配置を示す図。
【図１１】図１０のＥ矢視図。
【図１２】図１０のＦ矢視図。
【図１３】図１のＢ−Ｂ断面図。
【図１４】図１３のＧ−Ｇ断面図。
【図１５】図１４のＨ矢視図。
【図１６】図１５のＩ−Ｉ断面図。
【図１７】上記図１の電子カメラのストロボコンデンサ組み込み構造に対する変形例を採用した撮像記録処理ユニット部を示す図であって、Ｐ／Ｓ基板組み込み準備状態を示す正面配置図。
【図１８】図１７のＪ−Ｊ断面図。
【符号の説明】
２  ……前カバー（外装体）
３  ……後カバー（外装体）
３ｂ，３ｃ
……操作用開口部
３ｄ……表示用開口
１７，１８，１９，２０，２１，２２
……操作釦（操作部材）
４２  ……操作スイッチ基板（回路基板）
４２ｆ……アース部
４７  ……ＬＣＤ（表示ユニット）
５０  ……導電支持板（導電部材）
５０ａ……ＬＣＤ表示部支持部
（導電部材の第一の部位）
５０ｂ……操作スイッチ基板支持部
（導電部材の第二の部位）
５０ｑ……リード線押さえ部
（導電部材の第三の部位）
１２１，１２２
……スイッチ部（操作スイッチ）
【図１】
0004460790.tif 000002
【図２】
0004460790.tif 000003
【図３】
0004460790.tif 000004
【図４】
0004460790.tif 000005
【図５】
0004460790.tif 000006
【図６】
0004460790.tif 000007
【図７】
0004460790.tif 000008
【図８】
0004460790.tif 000009
【図９】
0004460790.tif 000010
【図１０】
0004460790.tif 000011
【図１１】
0004460790.tif 000012
【図１２】
0004460790.tif 000013
【図１３】
0004460790.tif 000014
【図１４】
0004460790.tif 000015
【図１５】
0004460790.tif 000016
【図１６】
0004460790.tif 000017
【図１７】
0004460790.tif 000018
【図１８】
0004460790.tif 000019